【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
下式の構造のポリエーテルイミド：
【化１】
2014532779.tif 000001
（式中、ｎは１より大きく；Ｒはそれぞれ、同じであっても異なっていてもよく、Ｃ６−３０芳香族炭化水素基、これらのハロゲン化誘導体、直鎖または分枝鎖のＣ２−１０アルキレン基，Ｃ３−１０シクロアルキレン基または下式の構造の二価基
【化２】
2014532779.tif 000002
［式中、Ｑ１は、−Ｏ−、−Ｓ−、−Ｃ（Ｏ）−、−ＳＯ２−、−ＳＯ−、−ＣｙＨ２ｙ−（ｙ：１〜５）およびそのハロゲン化誘導体から選択される］から選択され；Ｚはそれぞれ、同じであっても異なっていてもよく、１〜６個のＣ１−１８アルキル基、１〜８個のハロゲン原子あるいはこれらの組み合わせで任意に置換された芳香族Ｃ６−２４単環式または多環式部分であり；−Ｏ−Ｚ−Ｏ−基とフェニル置換基間の二価結合は、３，３’、３，４’、４，３’および４，４’位置にあって、ビス（ハロフタルイミド）組成物の質量に対して、
少なくとも１５質量％の下式の構造の３，３’−ビス（ハロフタルイミド）と、
【化３】
2014532779.tif 000003
１７質量％超〜８５質量％未満の下式の構造の４，３’−ビス（ハロフタルイミド）と、
【化４】
2014532779.tif 000004
０超〜２７質量％未満の下式の構造の４，４’−ビス（ハロフタルイミド）と、
【化５】
2014532779.tif 000005
を含む前記ビス（ハロフタルイミド）組成物（式中、Ｘはそれぞれ独立に、フルオロ基、クロロ基、ブロモ基あるいはヨード基であり、Ｒは上記に定義したものである）で構成される）を含み、
また、１．５質量％未満の、前記ビス（ハロフタルイミド）組成物と下式の構造のジヒドロキシ芳香族化合物のアルカリ金属塩
ＭＯ−Ｚ−ＯＭ
（式中、Ｍはアルカリ金属であり；Ｚは前記ポリエーテルイミドにおけるＺと同じである）
との単環型付加物を含む、
ことを特徴とするポリマー組成物。
【請求項２】
前記ビス（ハロフタルイミド）組成物は、４７質量％超〜８５質量％未満の４，３’−ビス（ハロフタルイミド）を含む請求項１に記載の組成物。
【請求項３】
前記ポリエーテルイミドは、その部に対して、それぞれ１００ｐｐｍ未満の前記３，３’−ビス（ハロフタルイミド）と、前記４，３’−ビス（ハロフタルイミド）と、前記４，４’−ビス（ハロフタルイミド）と、
１００ｐｐｍ未満の下式の構造のハロ（ビスフタルイミド）と、
【化６】
2014532779.tif 000006
１００ｐｐｍ未満の下式の構造のビスフタルイミドと、
【化７】
2014532779.tif 000007
を含み、ここで、前記３，３’−ビス（ハロフタルイミド）と、前記４，３’−ビス（ハロフタルイミド）と、前記４，４’−ビス（ハロフタルイミド）と、前記ハロ（ビスフタルイミド）と、の合計は２００ｐｐｍ未満である請求項２に記載の組成物。
【請求項４】
前記ビス（ハロフタルイミド）組成物は、
１５〜８５質量％未満の前記３，３’−ビス（ハロフタルイミド）と、
４７質量％超〜８５質量％未満の前記４，３’−ビス（ハロフタルイミド）と、
０超〜２７質量％未満の前記４，４’−ビス（ハロフタルイミド）と、を含み；
Ｒは、下式の構造
【化８】
2014532779.tif 000008
［式中、Ｑ１は、−Ｏ−、−Ｓ−、−Ｃ（Ｏ）−、−ＳＯ２−、−ＳＯ−、−ＣｙＨ２ｙ−（ｙ：１〜５）およびそのハロゲン化誘導体から選択される］を有する二価ラジカルであり；
Ｚは、下式の構造の二価基
【化９】
2014532779.tif 000009
［式中、Ｑは、−Ｏ−、−Ｓ−、−Ｃ（Ｏ）−、−ＳＯ２−、−ＳＯ−、−ＣｙＨ２ｙ−（ｙ：１〜５）およびそのハロゲン化誘導体から選択される］であり、
任意に、Ｚは、２，２−（４−フェニレン）イソプロピリデンであり；Ｒは、ｍ−フェニレン、ｐ−フェニレン  ジアリールスルホン、あるいはこれらの組み合わせである請求項１乃至３のいずれか１つまたは複数に記載の組成物。
【請求項５】
耐衝撃性改良剤、充填材、補強材、酸化防止剤、熱安定剤、光安定剤、紫外線吸収剤、可塑剤、潤滑剤、離型剤、帯電防止剤、着色剤、発泡剤、難燃剤、防滴剤、放射線安定剤およびこれらの組み合わせから選択された添加剤をさらに含む請求項１乃至４のいずれか１つまたは複数に記載の組成物。
【請求項６】
下式の構造のポリエーテルイミド：
【化１０】
2014532779.tif 000010
（式中、ｎは１より大きく；
Ｒはそれぞれ、同じであっても異なっていてもよく、Ｃ６−３０芳香族炭化水素基、これらのハロゲン化誘導体、直鎖または分枝鎖のＣ２−１０アルキレン基，Ｃ３−１０シクロアルキレン基または下式の構造の二価基
【化１１】
2014532779.tif 000011
［式中、Ｑ１は、−Ｏ−、−Ｓ−、−Ｃ（Ｏ）−、−ＳＯ２−、−ＳＯ−、−ＣｙＨ２ｙ−（ｙ：１〜５）およびそのハロゲン化誘導体から選択される］から選択され；
Ｚはそれぞれ、同じであっても異なっていてもよく、１〜６個のＣ１−１８アルキル基、１〜８個のハロゲン原子あるいはこれらの組み合わせで任意に置換された芳香族Ｃ６−２４単環式または多環式部分であり；
−Ｏ−Ｚ−Ｏ−基とフェニル置換基間の二価結合は、３，３’、３，４’、４，３’および４，４’位置にあって、前記ビス（ハロフタルイミド）組成物の質量に対して、
少なくとも１５質量％の下式の構造の３，３’−ビス（ハロフタルイミド）と、
【化１２】
2014532779.tif 000012
１０質量％超の下式の構造の４，３’−ビス（ハロフタルイミド）と、
【化１３】
2014532779.tif 000013
２７質量％未満の下式の構造の４，４’−ビス（ハロフタルイミド）と、
【化１４】
2014532779.tif 000014
を含むビス（ハロフタルイミド）組成物（式中、Ｘはそれぞれ独立に、フルオロ基、クロロ基、ブロモ基あるいはヨード基であり、Ｒは上に定義したものである）で構成される）を含み、
また、１．５質量％未満の、前記ビス（ハロフタルイミド）組成物と下式の構造のジヒドロキシ芳香族化合物のアルカリ金属塩
ＭＯ−Ｚ−ＯＭ
（式中、Ｍはアルカリ金属であり；Ｚは前記ポリエーテルイミドにおけるＺと同じである）
との単環型付加物を含む、
ことを特徴とするポリマー組成物。
【請求項７】
請求項１に記載のポリエーテルイミド組成物の製造方法であって、触媒活性量の相間移動触媒の存在下、
下式の構造のジヒドロキシ芳香族化合物のアルカリ金属塩
ＭＯ−Ｚ−ＯＭ
（式中、Ｍはアルカリ金属であり；Ｚは、１〜６個のＣ１−８アルキル基、１〜８個のハロゲン原子あるいはこれらの組み合わせで任意に置換された芳香族Ｃ６−２４単環式または多環式部分である）を、ビス（ハロフタルイミド）組成物の質量に対して、
少なくとも１５質量％の下式の構造の３，３’−ビス（ハロフタルイミド）と、
【化１５】
2014532779.tif 000015
１７質量％超〜８５質量％未満の下式の構造の４，３’−ビス（ハロフタルイミド）と、
【化１６】
2014532779.tif 000016
０超〜２７質量％未満の下式の構造の４，４’−ビス（ハロフタルイミド）と、
【化１７】
2014532779.tif 000017
を含むビス（ハロフタルイミド）組成物［式中、Ｒはそれぞれ、Ｃ６−３０芳香族炭化水素基、これらのハロゲン化誘導体、直鎖または分枝鎖のＣ２−１０アルキレン基，Ｃ３−１０シクロアルキレン基または下式の構造の二価基
【化１８】
2014532779.tif 000018
（式中、Ｑ１は、−Ｏ−、−Ｓ−、−Ｃ（Ｏ）−、−ＳＯ２−、−ＳＯ−、−ＣｙＨ２ｙ−（ｙ：１〜５）およびそのハロゲン化誘導体から選択される）から選択され；Ｘはそれぞれ独立に、フルオロ基、クロロ基、ブロモ基あるいはヨード基である］と反応させるステップを備え、
さらに、前記ポリエーテルイミドは、下式の構造
【化１９】
2014532779.tif 000019
（式中、ｎは１より大きく；Ｒはそれぞれ、同じであっても異なっていてもよく；Ｚはそれぞれ、上記に定義されたものであって同じであっても異なっていてもよく；−Ｏ−Ｚ−Ｏ−基とフェニル置換基間の二価結合は、３，３’、３，４’、４，３’および４，４’位置にある）を有することを特徴とする方法。
【請求項８】
前記ジヒドロキシ芳香族化合物のアルカリ金属塩の第１の部分が前記ビス（ハロフタルイミド）組成物と反応して、第１の分子量を有する第１のポリエーテルイミドを形成し；前記ジヒドロキシ芳香族化合物のアルカリ金属塩の第２の部分が前記第１のポリエーテルイミドに添加されて、第１の分子量より高い第２の分子量を有する第２のポリエーテルイミドを形成する請求項７に記載の方法。
【請求項９】
請求項１乃至６のいずれか１つまたは複数に記載の組成物を含むことを特徴とする物品。
【請求項１０】
シート、フィルム、多層シート、多層フィルム、成形部品、異型押出品、被覆部品および繊維から選択される請求項９に記載の物品。
【請求項１１】
リフレクタ、光学レンズ、光ファイバーコネクタおよび接着剤から選択される請求項９または１０のいずれかまたは両方に記載の物品。
【請求項１２】
（ｉ）第１の表面を有するポリテトラフルオロエチレン基材と、
（ｉｉ）第２の表面を有する金属基材と、
（ｉｉｉ）前記ポリテトラフルオロエチレン基材と金属基材間に配置された、請求項１乃至６のいずれか１つまたは複数に記載の前記ポリマー組成物と、
を含む請求項９乃至１１のいずれか１つまたは複数に記載の物品。